(57)【要約】      （修正有）【課題】定着装置の加圧解除機構において、部品数減を実現し、装置の小型化／低コスト化に貢献するカム機構を提供する。【解決手段】省電力モード時等において、不必要に高い圧力が加圧ローラ４１や定着ローラ４２にかけるのを防止する定着装置の加圧解除機構において、加圧解除カム４５のカムフォロワ面Ｘ，Ｙ，Ｚに緩やかな部分を設け、加圧解除状態から加圧状態に動作する時の加圧解除カムの回転を半回転以上かけて行うことにより、付勢部材からの付勢力による回転の加速を抑える。【選択図】図１
2007025349.tif 000002
【特許請求の範囲】
【請求項１】
内部に熱源を有し、記録材上の画像を定着するための定着部材と、記録材を前記定着部材に押圧して搬送する加圧部材と、前記定着部材を加圧部材に所定の圧で押圧する為の付勢手段と、前記付勢手段に作用し前記定着部材を加圧部材に押圧する加圧位置と押圧力を解除する解除位置とに移動させる加圧解除手段とを有する画像形成装置において、
前記加圧解除手段は、前記押圧力を解除する加圧解除カムを有し、
前記加圧解除カムは、１回転毎に前記定着部材を前記加圧位置と前記解除位置とに交互に移動させ、かつ前記解除位置から前記加圧位置への前記定着部材の移動を行う際は、前記加圧解除カムを半回転以上させることによって実現することを特徴とする画像形成装置。
【請求項２】
内部に熱源を有し、記録材上の画像を定着するための定着部材と、記録材を前記定着部材に押圧して搬送する加圧部材と、前記定着部材および前記加圧部材を回転駆動させるための駆動モータおよび駆動ギア列からなる駆動ユニットと、前記定着部材を加圧部材に所定の圧で押圧する為の付勢手段と、前記付勢手段に作用し前記定着部材を加圧部材に押圧する加圧位置と押圧力を解除する解除位置とに移動させる加圧解除手段とを有する画像形成装置において、
前記加圧解除手段は、前記押圧力を解除する加圧解除カムを有し
前記駆動ユニットは前記駆動モータの正逆回転により第１の位置と第２の位置に揺動する揺動ギアを有し、前記駆動モータの正回転時、前記揺動ギアは第１の位置に配され前記定着部材および前記加圧部材を回転駆動させ、前記駆動モータの逆回転時、前記揺動ギアは第２の位置に配され前記加圧解除カムを回転駆動させるように構成され、
前記加圧解除カムは、１回転毎に前記定着部材を前記加圧位置と前記解除位置とに交互に移動させ、かつ前記解除位置から前記加圧位置への前記定着部材の移動を行う際は、前記加圧解除カムを半回転以上させることによって実現することを特徴とする画像形成装置。
【請求項３】
前記加圧解除カムは、半回転以下回転することによって前記定着部材を前記解除位置に移動させることが可能なカムフォロワ面と、前記連結部材に対して平坦なカムフォロワ面と、前記付勢手段に対して半回転以上回転することによって前記定着部材を前記加圧位置に移動させることが可能なカムフォロワ面をあわせ持つことを特徴とする請求項１もしくは請求項２に記載の画像形成装置。
【発明の詳細な説明】
【技術分野】
【０００１】
本発明は、静電記録方式や電子写真記録方式などを採用し、シート等の記録媒体上に画像を形成する機能を備えた、例えば、複写機、プリンタ、あるいは、ファクシミリ装置などの画像形成装置に関するものである。
【背景技術】
【０００２】
近年、複写機、プリンタ、あるいは、ファクシミリ装置などの画像形成装置における定着装置としては、図５（１）に示すように内部に熱源（不図示）を有する定着部材４１、加圧部材４２によってニップを形成し、加圧バネ４３および連結部材４４によって定着部材４１を加圧部材４２に所定の圧力によって押し当てた状態で、ニップに未定着画像をのせた記録材Ｐを搬送し熱および圧力によって定着させる構成が知られている。また定着装置内での紙詰まり処理の際は、図５（２）に示すように加圧解除カム４５を矢印Bの方向に半回転させることによって連結部材４４および定着部材４１を加圧部材４２より離間させ、紙詰まり処理を容易にさせる構成も周知である。さらに、紙詰まり処理やメンテナンスのために定着装置が画像形成装置本体より容易に取り外しが可能なように構成されることもよく知られている。
【０００３】
しかしながら、上記のようなカムを用いた加圧解除構成を有する定着装置においては、以下のような問題が生じる。
【０００４】
すなわち加圧解除カムは、紙詰まり処理終了後、通常の定着動作を行う為に、加圧解除カム４５を図５（２）の状態からもう半回転させて図５（１）に示す状態に戻す。この時加圧解除カム４５を含む動力伝達系は加圧バネ４３の付勢力を受けて回転することになるのが必然であり、加圧バネ４３の付勢力の大きさによっては、加圧解除カムの回転動作に加速を与えてしまい、異常音や振動、部品の破損等が発生してしまう。特に上記のような定着装置に用いられる付勢手段は大きな付勢力を有するため、前記問題が発生する可能性が高く、この問題を解決する為に部品を堅牢な材料で構成する等コストが上がってしまうという問題がある。
【０００５】
一方、図４に示すような定着駆動系においても、上記に述べたような付勢力が加圧解除カムの回転に加速を与えることは大いに問題となる。
【０００６】
すなわち図４に示す定着駆動系は、駆動モータ６１、減速ギア６２、揺動中心に位置するギア６３、ギア６３の軸中心に加圧部材を直接的に回転させるギア６５および加圧解除カム４５を直接的に回転させるギア６６とそれぞれかみ合う位置まで揺動する揺動ギア６４から構成される。図４（１）では、駆動モータ６１が矢印Cの方向に回転すると、揺動ギア６４はギア６３より受ける回転力によって、加圧部材ギア６５にかみ合うまで揺動する。図４（２）では、駆動モータ６１が矢印Dの方向に回転すると、揺動ギア６４はギア６３より受ける回転力によって、加圧解除カムギア６５にかみ合うまで揺動する。このように図４に示すような揺動ギアを用いた定着駆動系は、定着駆動動作と加圧解除動作という別個の駆動系を単一のモータの正逆回転によって行う為に、コスト的に大変メリットがあり、装置の小型化にも貢献している。しかしながら、図４に示すような揺動ギアを用いた駆動系においては、上記に述べたような付勢力が加圧解除カムに回転を加速させる方向に力が加わる為に、揺動ギアが外れてしまい、歯飛びが発生して、駆動を確実に伝達することが困難になり、最終的には部品が破損するまでに至ってしまう。
【０００７】
さらに加圧解除カムの回転動作に加速を与えることに伴う振動により、定着装置全体が持ち上げられる場合もあり、その場合、定着装置を画像形成装置本体に完全に固定する為のロック部材等の構成も必要となり、低コスト化・装置の小型化を阻害するとともに、容易に着脱できないというユーザビリティ性にも問題があった。
【０００８】
このような問題を解決する為に、加圧解除機構に制動手段を設けて付勢力による加圧解除カムの回転動作への影響を緩和するという提案がなされている（特開2003-280308）。前記提案では、加圧解除機構の動力伝達系中に切欠歯車およびトルクリミッタを使用した制動手段を組み込み、加圧解除カムの回転動作時の付勢力の影響を効果的に緩和し、異常音や振動、部品の破損等の防止に大いに有効である。
【特許文献１】特開2003-280308号公報
【発明の開示】
【発明が解決しようとする課題】
【０００９】
しかしながら、上記の発明においては、制動手段として切欠歯車やトルクリミッタ等が使用されるために、加圧解除の駆動構成が複雑となり、それだけ装置の信頼性を確保するのが困難になってくる。
【００１０】
また部品数や組立て工数も確実に増加する為に、部品コスト・組立コストが増大し、装置全体の低コスト化を確実に阻害する。
【００１１】
さらに制動手段を設ける場所が装置内に必要であり、装置の小型化をも阻害してしまう上に、制動手段は高温になる定着装置近傍に配置しなければならず、高温対策を施す等さらに装置は大掛かりなものとなってしまう。
【００１２】
従って本発明は上記問題を解決することを目的とする。
【課題を解決するための手段】
【００１３】
本発明は、上記従来の欠点を解決するためになされたものであり、以下の発明によって解決できる。
【００１４】
第１の発明は、内部に熱源を有し、記録材上の画像を定着するための定着部材と、記録材を前記定着部材に押圧して搬送する加圧部材と、前記定着部材を加圧部材に所定の圧で押圧する為の付勢手段と、前記付勢手段に作用し前記定着部材を加圧部材に押圧する加圧位置と押圧力を解除する解除位置とに移動させる加圧解除手段とを有する画像形成装置において、
前記加圧解除手段は、前記押圧力を解除する加圧解除カムを有し、
前記加圧解除カムは、１回転毎に前記定着部材を前記加圧位置と前記解除位置とに交互に移動させ、かつ前記解除位置から前記加圧位置への前記定着部材の移動を行う際は、前記加圧解除カムを半回転以上させることによって実現することを特徴とする。
【００１５】
第２の発明は、内部に熱源を有し、記録材上の画像を定着するための定着部材と、記録材を前記定着部材に押圧して搬送する加圧部材と、前記定着部材および前記加圧部材を回転駆動させるための駆動モータおよび駆動ギア列からなる駆動ユニットと、前記定着部材を加圧部材に所定の圧で押圧する為の付勢手段と、前記付勢手段に作用し前記定着部材を加圧部材に押圧する加圧位置と押圧力を解除する解除位置とに移動させる加圧解除手段とを有する画像形成装置において、
前記加圧解除手段は、前記押圧力を解除する加圧解除カムを有し
前記駆動ユニットは前記駆動モータの正逆回転により第１の位置と第２の位置に揺動する揺動ギアを有し、前記駆動モータの正回転時、前記揺動ギアは第１の位置に配され前記定着部材および前記加圧部材を回転駆動させ、前記駆動モータの逆回転時、前記揺動ギアは第２の位置に配され前記加圧解除カムを回転駆動させるように構成され、
前記加圧解除カムは、１回転毎に前記定着部材を前記加圧位置と前記解除位置とに交互に移動させ、かつ前記解除位置から前記加圧位置への前記定着部材の移動を行う際は、前記加圧解除カムを半回転以上させることによって実現することを特徴とする。
【００１６】
第３の発明は、第１および第２の発明において、前記加圧解除カムは、半回転以下回転することによって前記定着部材を前記解除位置に移動させることが可能なカムフォロワ面と、前記連結部材に対して平坦なカムフォロワ面と、前記付勢手段に対して半回転以上回転することによって前記定着部材を前記加圧位置に移動させることが可能なカムフォロワ面をあわせ持つことを特徴とする。
【発明の効果】
【００１７】
本発明の画像形成装置によれば、
切欠歯車やトルクリミッタ等の制動手段を用いることなく、加圧解除カムのカムフォロワ面の形状と回転角度を適正化することによって加圧解除カムの回転動作における付勢力の影響を緩和することができるので、加圧解除の駆動構成が複雑になることはなく、装置の信頼性を確保するのが容易である。
【００１８】
また部品数や組立て工数も少なくすることが可能であり、部品コスト・組立コストを低く抑えることができ、装置全体の低コスト化を確実に実現することができる。さらに制動手段等を設ける場所が不要であることから、装置の小型化という観点でも有効である。
【００１９】
その上、加圧解除カムの回転動作に加速を与えることに伴う振動によって定着装置全体が持ち上げられこともなく、定着装置を画像形成装置本体に完全に固定する為のロック部材等の構成も不要となるため、低コスト化・装置の小型化を実現するとともに、容易に着脱できるというユーザビリティ性も向上する。
【発明を実施するための最良の形態】
【００２０】
以下に、実施例を挙げて、本発明をより具体的に説明する。なお、これら実施例は、本発明における最良の実施の形態の一例ではあるものの、本発明はこれら実施例により限定されるものではない。
【実施例１】
【００２１】
図２は本発明の第１実施形態に係る画像形成装置（図では電子写真方式でインライン型のフルカラープリンタ）を示す概略構成図である。
【００２２】
この画像形成装置は、イエロー色の画像を形成する画像形成部１aと、マゼンタ色の画像を形成する画像形成部１bと、シアン色の画像を形成する画像形成部１cと、ブラック色の画像を形成する画像形成部１dの４つの画像形成部（画像形成ユニット）を備えており、これらの４つの画像形成部１a、１b、１c、１dは一定の間隔をおいて一列に配置されている。
【００２３】
各画像形成部１a、１b、１c、１dには、それぞれ像担持体としてのドラム型の電子写真感光体（以下、感光体ドラムという）２ａ、２ｂ、２ｃ、２ｄが設置されている。各感光体ドラム２ａ、２ｂ、２ｃ、２ｄの周囲には、帯電器３ａ、３ｂ、３ｃ、３ｄ、現像装置４ａ、４ｂ、４ｃ、４ｄ、ドラムクリーニング装置５ａ、５ｂ、５ｃ、５ｄがそれぞれ設置されており、帯電器３と現像装置４間の上方には露光装置、６ａ、６ｂ、６ｃ、６ｄがそれぞれ設置されている。各現像装置４ａ、４ｂ、４ｃ、４ｄには、それぞれイエロートナー、マゼンタトナー、シアントナー、ブラックトナーが収納されている。
【００２４】
各感光体ドラム２ａ、２ｂ、２ｃ、２ｄは、負帯電のＯＰＣ感光体でアルミニウム製のドラム基体上に光導電層を有しており、駆動装置（不図示）によって矢印方向（反時計回り）に所定のプロセススピードで回転駆動される。帯電手段としての帯電器３ａ、３ｂ、３ｃ、３ｄは、帯電バイアス電源（不図示）から印加される帯電バイアスによって各感光体ドラム２ａ、２ｂ、２ｃ、２ｄ表面を負極性の所定電位に均一に帯電する。
【００２５】
現像装置４ａ、４ｂ、４ｃ、４ｄは、それぞれ感光体ドラム２ａ、２ｂ、２ｃ、２ｄ上に形成される各静電潜像に各色のトナーを付着させてトナー像として現像（可視像化）する。現像装置４ａ、４ｂ、４ｃ、４ｄによる現像方法としては、例えばトナー粒子に対して磁性キャリアを混合したものを現像剤として用いて磁気力によって搬送し、各感光体ドラム２ａ、２ｂ、２ｃ、２ｄに対して接触状態で現像する２成分接触現像法を用いることができる。
【００２６】
転写手段としての転写ローラ３４ａ、３４ｂ、３４ｃ、３４ｄは弾性部材で構成されており、各転写部Ｔａ、Ｔｂ、Ｔｃ、Ｔｄのニップ部にて無端ベルト状の転写材搬送ベルト（以下、転写ベルトという）３１を介して各感光体ドラム２ａ、２ｂ、２ｃ、２ｄに当接している。尚、ここでは転写手段として、転写ローラ３４を使用したが、トナー像を転写材に転写する際に高圧が印加され、かつ転写ベルト３１に対して当接する転写ブレードとしてもよい。
【００２７】
ドラムクリーニング装置５ａ、５ｂ、５ｃ、５ｄは、感光体ドラム２ａ、２ｂ、２ｃ、２ｄ表面にそれぞれ残った転写残トナーを除去して回収する。
【００２８】
露光装置６ａ、６ｂ、６ｃ、６ｄは、画像情報の時系列電気デジタル画素信号に対応して変調されたレーザ光がレーザ出力部（不図示）から出力され、高速回転するポリゴンミラー（不図示）等を介して各感光体ドラム２ａ、２ｂ、２ｃ、２ｄ表面を露光することにより、各帯電器３ａ、３ｂ、３ｃ、３ｄで帯電された各感光体ドラム２ａ、２ｂ、２ｃ、２ｄ表面に画像情報に応じた各色の静電潜像を形成する。
【００２９】
転写ベルト３１は、駆動ローラ３２、テンションローラ３３間に張架されており、駆動ローラ３２の駆動によって矢印方向（時計回り）に回転（移動）される。転写ベルト３１は、ポリカーボネート、ポリエチレンテレフタレート樹脂フィルム、ポリフッ化ビニリデン樹脂フィルム等のような誘電体樹脂によって構成されている。
【００３０】
また転写ベルト３１の転写材搬送方向の下流側には、熱源４６を内包する加熱ローラ４１と加圧ローラ４２を有する定着装置４０が設置されている。
【００３１】
次に、上記した画像形成装置による画像形成動作について説明する。
【００３２】
画像形成開始信号が発せられると、所定のプロセススピードで回転駆動される各画像形成部１ａ，１ｂ，１ｃ，１ｄの各感光ドラム２ａ，２ｂ，２ｃ，２ｄは、それぞれ帯電器３ａ，３ｂ，３ｃ，３ｄによって一様に負極性に帯電される。そして、露光装置６ａ，６ｂ，６ｃ，６ｄは、出力画像の画像信号をレーザ出力部（不図示）にて光信号にそれぞれ変換し、変換された光信号であるレーザ光は帯電された各感光ドラム２ａ，２ｂ，２ｃ，２ｄ上をそれぞれ走査露光して静電潜像を形成する。
【００３３】
そして、先ず感光ドラム２ａ上に形成された静電潜像に、感光ドラム２ａの帯電極性（負極性）と同極性の現像バイアスが印加された現像装置４ａによりイエローのトナーを付着させて、トナー像として可視像化する。
【００３４】
そして、感光ドラム２ａ上のトナー像先端が感光ドラム２ａと転写ブレード５ａ間の転写部Ｔａに移動されるタイミングに合わせて、給紙カセット２１から転写材搬送ガイド２３を通して給紙される転写材（用紙）Ｐが、レジストローラ２４により転写部Ｔａに搬送される。そして、転写部Ｔａに搬送された転写材Ｐに、転写バイアス（トナーと逆極性（正極性））が印加された転写ローラ３４ａによりイエローのトナー像が転写材Ｐ上に転写される。
【００３５】
イエローのトナー像が転写された転写材Ｐは、転写材搬送ベルト３１によって画像形成部１ｂに移動される。そして、画像形成部１ｂと転写ローラ３４ｂによって構成された転写部Ｔｂにおいても、前記同様にして感光ドラム２ｂに形成されたマゼンタのトナー像が、転写材Ｐ上のイエローのトナー像上に重ね合わせて、転写される。
【００３６】
以下、同様にして転写材Ｐ上に重畳転写されたイエロー、マゼンタのトナー像上に、画像形成部１ｃ，１ｄの感光ドラム２ｃ，２ｄで形成されたシアン、ブラックのトナー像を各転写部Ｔｃ，Ｔｄにて順次重ね合わせて、フルカラーのトナー像を転写材Ｐ上に形成する。
【００３７】
フルカラーのトナー像が形成された転写材Ｐは定着器４０に搬送されて、加熱ローラ４１と加圧ローラ４２間の定着ニップでフルカラーのトナー像を加熱、加圧して転写材Ｐ表面に熱定着した後に、排紙ローラ４７によって排紙トレイ５１上に排出して、一連の画像形成動作を終了する。
【００３８】
上記した画像を感光ドラムから転写材に転写した際において、各感光ドラム２ａ，２ｂ，２ｃ，２ｄ上に残留している転写残トナーは、各ドラムクリーニング装置５ａ，５ｂ，５ｃ，５ｄによってそれぞれ除去されて回収される。
【００３９】
モノクロ画像出力時は、上記の画像形成プロセスをブラック色の画像を形成する画像形成部１dにおいてのみ行う。
【００４０】
（第１実施形態の特徴的部分）
次に図１で本実施形態の特徴的な部分について説明する。
【００４１】
図１は、図２における定着器４０の加圧解除機構を模式化したものであり、図１（１）は定着ローラ４１の加圧状態を示し、図１（２）は定着ローラ４１の加圧解除状態を示す。加圧ローラ４２に対向して配置された定着ローラ４１は連結部材４４の連結部４４bにおいて接続している。加圧バネ４３は連結部材４４を介して定着ローラ４１を加圧ローラ４２に対して所定の圧力で押圧している。この所定の圧力とは、定着性および記録材の搬送性によって最適化されるもので、通常１０〜５０kgの範囲の中で定められる。加圧解除カム４５は、連結部材４４を挟んで加圧バネ４３に略対向して配置される。加圧解除カム４５は回転軸４５aを中心に矢印Bの方向に、不図示である駆動源によって回転可能なように構成されている。加圧解除カム４５は、定着ローラの加圧時最下点である４５bから４５cに至るカムフォロワ面Ｘ、４５ｃから４５dに至るカムフォロワ面Ｙ、４５ｄから４５ｅを経由して４５ｂに至るカムフォロワ面Ｚから構成されている。
【００４２】
次に、図１（２）に示す定着ローラの加圧解除状態は、画像出力中に発生した紙詰まりを処理する時や、一定時間使用されない場合に移行する低電力モードに入った時および画像形成装置本体の電源を切った時等に不必要に高い圧力を加圧ローラおよび定着ローラにかけるのを防止する為に、加圧解除カムの回転によって実現する。具体的な手段としては加圧解除カムを略９０°回転させることにより、加圧解除カムのカムフォロワ面Ｘが連結部材４４を加圧バネ４３の付勢力に対向して押し下げ、さらにカムフォロワ面Ｙのフラット面によって加圧解除カムの姿勢を保持することによって実現する。
【００４３】
また、前記紙詰まり処理後、画像形成装置本体を画像出力可能状態にする為に、この加圧解除状態から図１（１）に示すような加圧状態を再現する場合は、図１（２）における加圧解除カム４５を再度矢印B方向に略２７０°回転させ、カムフォロワ面Ｚによって連結部材４４を徐々に加圧位置へと戻す。
【００４４】
図３は加圧解除カム４５におけるカムフォロワ面の高さと回転角度の関係を表すグラフである。グラフ上の点４５b、４５c、４５d、４５ｅはカムフォロワ面上の点４５b、４５c、４５d、４５ｅと一致している。
【００４５】
このように定着ローラを加圧解除状態から加圧状態に移動させる際、加圧解除カム４５は加圧バネ４３の付勢力を受けるものの、図３のグラフに示すように、加圧解除状態から加圧状態に移動させる為のカムフォロワ面の高さの角度当たりの変動幅が小さく緩やかに設定されているために、加圧バネ４３の付勢力が一挙に加圧解除カム４５の回転動作に及ぶことがなく、加圧解除カム４５の回転動作に与える加速を小さく抑えることができる。
【００４６】
従って制動手段等の機械的構成を用いることなく、定着ローラの加圧／加圧解除動作を円滑に動作させることができ、加圧解除カムが受ける付勢力による加速に伴う装置の振動や異常音、部品の破損等を確実に防止することができる。さらに回転角度とカムフォロワ面の形状で付勢力による加速を抑えているため、部品点数を増加させることなく、部品コストや組立コストを低く抑えることも可能である。また制動手段等の機械的構成が不要なことから、装置の小型化にも有効な手段である。
【００４７】
また加圧解除カムの回転動作に加速を与えることに伴う振動によって定着装置全体が持ち上げられこともなく、定着装置を画像形成装置本体に完全に固定する為のロック部材等の構成も不要となるため、低コスト化・装置の小型化を実現するとともに、容易に着脱できるというユーザビリティ性も向上する。
【００４８】
さらに図４に示すような、単一の駆動モータを使用し、揺動ギアを用いて定着駆動動作と加圧解除動作の駆動を切り替える定着駆動系においても、加圧解除カムの回転動作に対する付勢力の加速を小さく押えることによって、揺動ギアの外れ・歯飛び等を防止することが出来、装置の小型化・低コスト化を実現する上では非常に有効である。
【００４９】
なお、本実施例では、定着ローラ側に連結部材や付勢部材を配置し、加圧ローラに対して定着ローラを移動させることによって加圧状態、加圧解除状態を実現したが、加圧ローラを定着ローラに対して移動可能なように構成しても、本発明が有効であることは言うまでもない。
【図面の簡単な説明】
【００５０】
【図１】本発明に係る画像形成装置の定着器および加圧解除機構を示す模式図である。
【図２】本発明に係る画像形成装置の概略断面図である。
【図３】本発明に係る定着器の加圧解除カムのカム面高さと回転角度の関係を表すグラフである。
【図４】本発明に係る画像形成装置の定着駆動系を示す模式図である。
【図５】従来例である画像形成装置の定着器および加圧解除機構を示す模式図である。
【符号の説明】
【００５１】
１ａ，１ｂ，１ｃ，１ｄ  各色の画像形成部
２０  給紙ユニット
４０  定着装置
４１  定着ローラ
４２  加圧ローラ
４３  加圧バネ
４４  連結部材
４５  加圧解除カム
４５b、４５c、４５d、４５ｅ  加圧解除カムのカムフォロワ面上の各点
【図１】
2007025349.tif 000003
【図２】
2007025349.tif 000004
【図３】
2007025349.tif 000005
【図４】
2007025349.tif 000006
【図５】
2007025349.tif 000007